(57)【要約】【課題】キャンドルに点火してから一定時間の経過後に、芳香成分が発散し、人の心を和ませることができ、すなわち、アロマテラピー効果を奏することができ、しかも、長期間放置しておいた場合でも、点火後の芳香成分の発散量が低下することがない、芳香成分の耐久性がよいアロマキャンドル、およびそのアロマキャンドルの製造を可能とした製法を提供する。【解決手段】常温で固体である蝋２内に、芯材３を、その一部が外部に突出するようにして埋設してなるアロマキャンドル１において、蝋２内に、内部に香料４、５が揮発しないように密封され、かつ蝋２の溶融温度で溶融するようにしたカプセル６、７を埋設する。【選択図】  図１
2010285533.tif 000002
【特許請求の範囲】
【請求項１】
常温で固体である蝋内に、芯材を、その一部が外部に突出するようにして埋設してなるアロマキャンドルにおいて、前記蝋内に、内部に香料が揮発しないように密封され、かつ点火後一定時間経過後に、蝋の溶融温度で溶融するようにしたカプセルを埋設したことを特徴とするアロマキャンドル。
【請求項２】
香料を密封した複数のカプセルを、芯材に沿って、互いに離間させて蝋内に埋設した請求項１記載のアロマキャンドル。
【請求項３】
各カプセルにおける香料を、異なる種類のものとした請求項２記載のアロマキャンドル。
【請求項４】
芯材を筒状の伸縮性ネットにより形成し、この筒状の芯材内にカプセルを挿入した請求項１〜３のいずれかに記載のアロマキャンドル。
【請求項５】
芯材を紐状体からなるものとし、この芯材にカプセルを係止させた請求項１〜３のいずれかに記載のアロマキャンドル。
【請求項６】
蝋の溶融温度で溶融する材質のカプセル内に、香料を揮発しないように密封しておき、芯材を立設した型枠内に、溶融した蝋を流し込み、前記蝋が固化する前に、有底孔形成用の中子を蝋内に浸漬し、蝋の固化後に前記中子を離型することにより、蝋に有底孔を形成し、前記蝋が固化し、かつ蝋の温度が前記カプセルの溶融温度より低下した後、前記有底孔に、前記カプセルを嵌合し、その後、前記有底孔の開口部に、固化した蝋材を嵌合して、前記開口部を閉塞することを特徴とするアロマキャンドルの製法。
【請求項７】
蝋の溶融温度で溶融する材質のカプセル内に、香料を揮発しないように密封しておき、芯材を立設した型枠内に、溶融した蝋を流し込み、前記蝋が固化した後、前記蝋に有底孔を穿孔し、前記蝋の温度が前記カプセルの溶融温度より低下した後、前記有底孔に、前記カプセルを嵌合し、その後、前記有底孔の開口部に、固化した蝋材を嵌合して、前記開口部を閉塞することを特徴とするアロマキャンドルの製法。
【請求項８】
有底孔の底部にカプセルを嵌合した後、その上方にスペーサ用の固化した蝋材と、別のカプセルとを順次嵌合し、最後に、前記有底孔の開口部に、固化した蝋材を嵌合して、前記開口部を閉塞することにより、有底孔溝内に、複数のカプセルを、互いに離間させて嵌合することを特徴とする請求項６または７記載のアロマキャンドルの製法。
【請求項９】
蝋の溶融温度で溶融する材質のカプセル内に、香料を揮発しないように密封しておき、筒状の伸縮性ネットにより形成した芯材内に、前記カプセルを配設した状態で、その周囲を、固化した蝋材により、倒立截頭円錐形状に固めることにより、アロマキャンドルの中心部を形成し、この中心部を、蝋を成型して形成したアロマキャンドルの外周部の中央に設けた倒立截頭円錐形の中央孔に嵌合することを特徴とするアロマキャンドルの製法。
【発明の詳細な説明】
【技術分野】
【０００１】
本発明は、芳香性を有する蝋燭、すなわちアロマキャンドル、およびその製法に関する。
【背景技術】
【０００２】
従来のアロマキャンドルは、蝋自体に香料を添加したり、混練したり、含浸させたりし(それらを総称して、配合するという)、それ自体が芳香を発するとともに、キャンドルの灯火中に、蝋とともに香料が蒸発し、芳香成分が灯火の上昇気流により拡散されるようにしたものがほとんどである(例えば、特許文献１〜３参照)。
【先行技術文献】
【特許文献】
【０００３】
【特許文献１】特開平７−４８５９１号公報
【特許文献２】特開平９−１８８８９３号公報
【特許文献３】特開２０００−２３９６９４号公報
【発明の概要】
【発明が解決しようとする課題】
【０００４】
しかし、特許文献１〜３に記載されているアロマキャンドルは、蝋に配合されている香料の芳香成分が、時間の経過とともに放散し、長期間放置しておくと、芳香性が失われ、キャンドルに点火しても、芳香成分が発散しなくなることがある。
【０００５】
本発明は、従来の技術が有する上記のような問題点に鑑み、キャンドルに点火してから一定時間の経過後、もしくは一定時間毎に芳香成分が発散し、人の心を和ませ、アロマテラピー効果を奏するとともに、一定時間の経過を告知させることができ、しかも、長期間放置しておいても、点火後の芳香成分の発散量が極力低下することがないようにした、芳香成分の持続性がよいアロマキャンドル、およびこのアロマキャンドルの効果的な製造方法を提供することを目的としている。
【課題を解決するための手段】
【０００６】
本発明によると、上記課題は、次のようにして解決される。
(１)  常温で固体である蝋内に、芯材を、その一部が外部に突出するようにして埋設してなるアロマキャンドルにおいて、前記蝋内に、内部に香料が揮発しないように密封され、かつ点火後一定時間経過後に、蝋の溶融温度で溶融するようにしたカプセルを埋設する。
【０００７】
このような構成とすると、キャンドルに点火してから一定時間が経過すると、カプセルが蝋とともに溶融し、その内部に密封されていた香料がカプセルから漏出して蒸発し、その芳香成分が発散し、その一部が灯火の上昇気流により拡散され、人の心を和ませ、アロマテラピー効果を奏することができ、かつ点火後一定時間が経過したことを、周辺の人に知らせることができる。
また、不使用時には、香料は、揮発しないようにカプセル内に密封されており、その芳香成分が大気に放散することがなく、長期間放置しておいた場合でも、点火後の芳香成分の発散量が低下することがなく、芳香成分の耐久性がよい。
【０００８】
(２)  上記(１)項において、香料を密封した複数のカプセルを、芯材に沿って、互いに離間させて蝋内に埋設する。
【０００９】
このような構成とすると、キャンドルに点火してから一定時間が経過した後、第１段目のカプセルが蝋とともに溶融し、その内部に密封されていた香料がカプセルから漏出して蒸発し、その芳香成分が発散し、その一部が灯火の上昇気流により拡散され、その後さらに一定時間が経過した後、第２段目のカプセルが蝋とともに溶融し、その内部に密封されていた上記の香料とは異なる香料がカプセルから漏出して蒸発し、その芳香成分が発散し、その一部が灯火の上昇気流により拡散されるので、時間の経過を大まかに把握することができる。
【００１０】
(３)  上記(２)項において、各カプセルにおける香料を、異なる種類のものとする。
【００１１】
このような構成とすると、時間の経過とともに、異なる種類の香りがキャンドルの周囲に拡散するので、複数の香りを楽しむことができ、アロマテラピー効果をさらに高めることができる。
【００１２】
(４)  上記(１)〜(３)項のいずれかにおいて、芯材を筒状の伸縮性ネットにより形成し、この筒状の芯材内にカプセルを挿入する。
【００１３】
このような構成とすると、カプセルが芯材内に位置するので、キャンドルの灯火中に、カプセルが確実に溶融するとともに、溶融したカプセルから漏出した香料の芳香成分が、確実に灯火の上昇気流に乗り、芳香の拡散性が向上する。
【００１４】
(５)  上記(１)〜(３)項のいずれかにおいて、芯材を紐状体からなるものとし、この芯材にカプセルを係止させる。
【００１５】
このような構成とすると、カプセルを芯材と一体として扱うことができ、製造が容易になる。
【００１６】
(６)  アロマキャンドルの製法において、蝋の溶融温度で溶融する材質のカプセル内に、香料を揮発しないように密封しておき、芯材を立設した型枠内に、溶融した蝋を流し込み、前記蝋が固化する前に、有底孔形成用の中子を蝋内に浸漬し、蝋の固化後に前記中子を離型することにより、蝋に有底孔を形成し、前記蝋が固化し、かつ蝋の温度が前記カプセルの溶融温度より低下した後、前記有底孔に、前記カプセルを嵌合し、その後、前記有底孔の開口部に、固化した蝋材を嵌合して、前記開口部を閉塞する。
【００１７】
アロマキャンドルの灯火時に蝋が溶融するときの温度は、通常６０°Ｃ〜８０°Ｃであり、カプセルはこの温度で溶融するようにする必要があり、それに対して、溶融した蝋を型枠内に流し込むときは、蝋を１００°Ｃ〜１２０°Ｃに加熱してあるので、この中にカプセルを入れると、カプセルは即座に溶融し、香料を密封しておくことはできない。
しかし、上記のような製法によると、蝋が固化し、かつ蝋の温度がカプセルの溶融温度より低下した後、固化した蝋に形成された有底孔に、カプセルを嵌合するので、カプセルが製造途中で溶融することはなく、本発明のアロマキャンドルの製造が可能となる。
また、蝋の成形時に有底孔が同時に形成されるので、製造が容易である。
【００１８】
(７)  アロマキャンドルの製法において、蝋の溶融温度で溶融する材質のカプセル内に、香料を揮発しないように密封しておき、芯材を立設した型枠内に、溶融した蝋を流し込み、前記蝋が固化した後、前記蝋に有底孔を穿孔し、前記蝋の温度が前記カプセルの溶融温度より低下した後、前記有底孔に、前記カプセルを嵌合し、その後、前記有底孔の開口部に、固化した蝋材を嵌合して、前記開口部を閉塞する。
【００１９】
このような製法によると、上記(６)項の製法と同様に、蝋が固化し、かつ蝋の温度がカプセルの溶融温度より低下した後、固化した蝋に形成した有底孔に、カプセルを嵌合するので、カプセルが製造途中で溶融することはなく、本発明のアロマキャンドルの製造が可能となる。
また、蝋の成形後に、固化した蝋に、有底孔を、機械加工により簡単に形成することができる。
【００２０】
(８)  上記(６)または(７)項において、有底孔の底部にカプセルを嵌合した後、その上方にスペーサ用の固化した蝋材と、別のカプセルとを順次嵌合し、最後に、前記有底孔の開口部に、固化した蝋材を嵌合して、前記開口部を閉塞することにより、有底孔溝内に、複数のカプセルを、互いに離間させて嵌合する。
【００２１】
このような製法とすると、複数のカプセルを、互いに離間させて、蝋内に迅速かつ確実に埋設することができる。
【００２２】
(９)  アロマキャンドルの製法において、蝋の溶融温度で溶融する材質のカプセル内に、香料を揮発しないように密封しておき、筒状の伸縮性ネットにより形成した芯材内に、前記カプセルを配設した状態で、その周囲を、固化した蝋材により、倒立截頭円錐形状に固めることにより、アロマキャンドルの中心部を形成し、この中心部を、蝋を成型して形成したアロマキャンドルの外周部の中央に設けた倒立截頭円錐形の中央孔に嵌合する。
【００２３】
このような製法によると、カプセルを、筒状とした芯材内に配設して、芯材と一体として取り扱うことができるとともに、蝋に有底孔を設ける必要がないので、作業を、簡単かつ迅速に行うことができる。
【発明の効果】
【００２４】
本発明によると、キャンドルに点火してから一定時間の経過後、もしくは一定時間毎に芳香成分が発散し、人の心を和ませ、アロマテラピー効果を奏するとともに、一定時間の経過を告知させることができ、しかも、長期間放置しておいても、点火後の芳香成分の発散量が極力低下することがないようにした、芳香成分の持続性がよいアロマキャンドル、およびこのアロマキャンドルの効果的な製造方法を提供することができる。
【図面の簡単な説明】
【００２５】
【図１】本発明のアロマキャンドルの第１の実施形態の中央縦断正面図である。
【図２】図１のアロマキャンドルの製法の第１の行程を示す中央縦断正面図である。
【図３】同じく第２の行程を示す中央縦断正面図である。
【図４】本発明のアロマキャンドルの第２の実施形態の中央縦断正面図である。
【図５】図４のアロマキャンドルの製法の一行程を示す中央縦断正面図である。
【図６】図５に示す行程の一部の変形例を示す分解斜視図である。
【発明を実施するための形態】
【００２６】
以下、本発明の実施形態を、添付図面を参照して説明する。  
図１は、本発明のアロマキャンドルの第１の実施形態の中央縦断正面図である。
このアロマキャンドル１は、常温で固体である円柱状の蝋２の中心に、芯材３を、その上端部が上方に突出するようにして埋設し、かつ蝋２の偏心部に、内部に香料４、５が揮発しないように密封され、かつ蝋２の溶融温度で溶融するようにした２個のカプセル６、７を、互いに上下に離間させて埋設したものよりなっている。
【００２７】
蝋２および芯材３の材質は公知のものでよい。例えば、蝋２の材質としては、パラフィン、蜜蝋、その他の公知の蝋燭の材質とすることができる。また、蝋２に、香料を配合しておいてもよい。
【００２８】
芯材３としては、織布、編み物、不織布等繊維製品、葦、藁、紙等細長い物なら、燃焼効率を別として、殆どの物を使用することができる。
【００２９】
香料４、５としては、特段に限定されないが、互いに異なる香りのものとするのが好ましい。
すなわち、動物起源および植物起源の天然香料、天然香料から香成分を単離した抽出香料および化学合成した合成香料を含む人造香料、およびそれらを調合した調合香料から任意のものを使用することができる。
【００３０】
具体的な香料としては、例えば、ラベンダー、ゼラニウム、ユーカリ、ペパーミント、マンダリン、カモミール、ローズマリー、パイン、グレープフルーツ、レモン、オレンジ、白檀、沈香、麝香等を挙げることができるが、これらに限定されるものではなく、使用しうる香料は無数にある。また、これらの香料成分の一または複数を揮発性の溶剤に溶かして配合し、いわゆる調香して、使用するのがよい。
【００３１】
香料４、５の性状は、固体、粉体、粒体、ゲル状体、流動体、液体のいずれでもよいが、蝋２の溶融温度により揮発し、また蝋２とともに燃焼し、残滓が残らないようなものとするのが好ましい。
なお、香料４、５には、蝋２とともに燃焼する際に、炎の色が変わる材料を添加しておくことが好ましい。例えば、香料４、５にメチルリチウムを添加しておくことにより、炎を赤色化させることができる。
【００３２】
カプセル６、７の材質しては、香料４、５を揮発しないように密封でき、かつ蝋２の溶融温度で溶融するものであればどの様なものでもよいが、固体状態でも、溶融状態でも、燃焼後においても人体に無害であり、かつアロマキャンドル１の灯火により燃焼でき、燃焼時に有毒ガスを発生しないという条件を満たすことが実用上必要である。
このような材料は、薬剤や健康食品に用いられているソフトカプセルまたはハードカプセルのうち、上記の条件を満たすものを選択することで得ることができる。
【００３３】
具体的には、カプセル６、７の基剤となるものとしては、ゼラチン、パラフィン、蜜蝋、グリセリン、グリセリン脂肪酸エステル、ポリアミド、アミノプラスト、マルトデキストリン、ショ糖、ポリウレタン、ポリエステル、尿素ホルマリン、ポリスチレン、ポリアクリル、PVA、アラビアガム、エチルセルロース、デンプン、ワックス、ポリ（１，６−ヘキサンアミンジイルセバコイル）、ポリ（１、４−ピペラジンジイルテレフタロイル）、ポリオルトエステル、ポリ酸、ヒドロゲル、ポリペプチド、ポリアミノトリアゾール、アルブニンビーズ等が例示される。
【００３４】
基剤によっては、シェルとしての脆さと不溶化を改善するために、所定の添加剤を配合することが好ましい。例えば、ゼラチンを使用する場合には、ゼラチンのシェルとしての脆さと不溶化を改善するために、ヒドロキシプロピルメチルセルロース（ＨＰＭＣ）を基剤に配合することが好ましい。
【００３５】
カプセル６、７のシェルとなる基剤の中で、好ましいのは、１、３−フェニレンジイソシアナート；１−メチルベンゼンー２、４−ジイソシナート；１−メチルベンゼンー２、５−ジイソシナート；１−エトキシベンゼンー２、４−ジイソシナナート；およびジフェニルメタンー４、４'−ジイソシナートから成る群から選択された芳香族ジイソシアナートと１、１０−デカンジオールとの付加重合反応によって製造されたポリウレタンである。
【００３６】
これらのポリウレタンの融点は、いずれも５０°Ｃ〜７０°Ｃである。たとえば、１、３−フェニレンジイソシアナートと１、１０−デカンジオールとの付加重合反応によって製造されたポリウレタンの融点は６２°Ｃである。１−メチルベンゼンー２、４−ジイソシナートと１、１０−デカンジオールとの付加重合反応によって製造されたポリウレタンの融点は５０°Ｃである。１−メチルベンゼンー２、４−ジイソシナートと１、１０−デカンジオールとの付加重合反応によって製造されたポリウレタンの融点は約５０°Ｃである。１−エトキシベンゼンー２、４−ジイソシナナートと１、１０−デカンジオールとの付加重合反応によって製造されたポリウレタンの融点は約６０°Ｃである。ジフェニルメタンー４、４'−ジイソシナートと１、１０−デカンジオールとの付加重合反応によって製造されたポリウレタンの融点は約５０°Ｃである。
【００３７】
図１に示すアロマキャンドル１は、芯材３の上端に点火すると、その周辺の蝋２が炎の熱によって徐々に溶融し、芯材３に吸い上げられ、可燃性ガスとなって、空気と混合し、発炎燃焼して、安定した炎を継続させることができる。
【００３８】
点火から時間が経つにつれて、蝋２の上端中央部から外側方および下方へと溶融が進み、その蝋２の溶融が、カプセル６の上端部に達し、溶融した蝋２の熱により、カプセル６の一部が溶融し、その内部に密封されていた香料４がカプセル６から漏出して蒸発すると、その芳香成分が発散し、その一部が灯火の上昇気流により拡散され、人の心を和ませることができる、すなわち、アロマテラピー効果を奏することができる。
【００３９】
カプセル６が蝋２とともに溶融し、芯材３に吸い上げられて燃焼し、また香料４が揮発したり、蝋２ともに溶融し、芯材３に吸い上げられて燃焼した後、さらに蝋２の溶融が進み、蝋２の溶融が、カプセル７の上端部に達し、溶融した蝋２の熱により、カプセル７の一部が溶融し、その内部に密封されていた香料５がカプセル７から漏出して蒸発すると、その芳香成分が発散し、その一部が灯火の上昇気流により拡散され、先の香料４の香りとは異なる香りが室内に漂い、香りの変化を楽しむことができ、アロマテラピー効果をさらに高めることができる。
【００４０】
また、アロマキャンドル１の不使用時には、香料４、５は揮発しないようにカプセル６、７内に密封されており、その芳香成分が大気に放散することがなく、長期間放置しておいた場合でも、アロマキャンドル１の点火後の芳香成分の発散量が低下することがなく、芳香成分の耐久性を高めることができる。
したがって、従来のアロマキャンドルのように、長期間放置しておくことにより、芳香性が失われ、キャンドルに点火しても、芳香成分が発散しなくなるということがない。
【００４１】
図１に示すアロマキャンドル１を製造するには、図２に示すように、形成しようとするアロマキャンドル１と補形をなす有底筒状の型枠１１における底部１１ａの中央に設けた小孔１２に、芯材３の一端部を挿通させて、その先端部を、底部１１ａの下面に、粘着テープその他の適宜の止着手段をもって止着する。
【００４２】
次いで、型枠１１上に、中央に小孔１３が、偏心部の下面に、下端が球頭状の下方を向く棒状の有底孔形成用の中子１４が、また別の偏心部に、大寸の注入口１５が設けられた蓋体１６を被嵌し、その小孔１３に、上記芯材３の他端部を下方より挿通させて、その上端部を、蓋体１６の上面に、粘着テープその他の適宜の止着手段をもって止着する。
【００４３】
この状態で、溶融用容器１７内において、１００°Ｃ〜１２０°Ｃに加熱して溶融させた蝋材２’を、蓋体１溶融容器６の注入口１５より型枠１１内に、図２に２点鎖線で示す高さに液位が達するまで流し込む。
なお、蝋材２’を型枠１１内に流し込んだ後に、中子１４を、型枠１１内の蝋材２’中に浸漬してもよい。また、中子１４を、上下反転させて、型枠１１の底部１１ａの上面に上向きに突設しておき、アロマキャンドル１を上下反転させた形で成形することもある。
【００４４】
その後、蝋材２’が固化した後、蓋体１６と中子１４とを、型枠１１から真上に外すとともに、固化した蝋２と芯材３とを、型枠１１から離型すると、図３に示すように、上面の偏心部に、中子１４を抜き出した後の有底孔１８が形成されたアロマキャンドルの半製品１’が形成される。
【００４５】
以上の作業と並行して、蝋２の溶融温度である６０°Ｃ〜８０°Ｃで溶融する上記のような材質としたカプセル６、７内に、香料４、５を揮発しないように密封しておく。
【００４６】
図３に示す半製品１’における蝋２の温度が、上記カプセル６、７の溶融温度より低下した後、有底孔１８に、カプセル７をその底部まで嵌合し、ついで、その上方より、スペーサ用の固化した蝋材２ａ、およびカプセル６を順次嵌合し、最後に、有底孔１８の開口部閉塞用の固化した蝋材２ｂを嵌合し、有底孔１８の上端開口部を閉塞することにより、有底孔１８内に、複数のカプセル７、６を、互いに離間するようにして埋設し、図１に示すアロマキャンドル１を完成することができる。
【００４７】
この製法によると、カプセル６、７をアロマキャンドル１内に埋設する際に、カプセル６、７が、溶融状態の蝋２に曝されて、溶融するということがなく、カプセル６、７を安定した状態で、簡単かつ迅速に、アロマキャンドル１内に埋設することができる。
【００４８】
１個のカプセル６のみを、アロマキャンドル１内に埋設する場合は、有底孔１８を浅く形成しておき、その中に、カプセル６と蝋材２ｂとを嵌合すればよい。
また、３個以上のカプセルを上下方向に離間させて埋設させたい場合は、蝋材２ａおよびカプセル６を複数セット用意しておき、それらを有底孔１８内に順次繰り返して嵌合し、最後に、蝋材２ｂを嵌合して、有底孔１８の上端開口部を閉塞すればよい。
【００４９】
さらに、上記のように、中子１４により有底孔１８を形成する代わりに、芯材３を立設した型枠１１内に、溶融した蝋材２’を流し込んで固化させただのものか、またはすでに完成して固化した既存のアロマキャンドルにおける蝋２の上面の偏心部に、ドリル(図示略)等の機械加工により、有底孔１８を穿設し、そこに、カプセル７、蝋材２ａ、カプセル６、および蝋材２ｂを順次嵌合して、アロマキャンドル１を完成させることもできる。
【００５０】
図４は、本発明のアロマキャンドルの第２の実施形態の中央縦断正面図である。
このアロマキャンドル２１は、常温で固体である倒立截頭円錐形の蝋２２の中心に、筒状の伸縮性ネットにより形成した芯材２３内に、上記と同様の、香料４、５が揮発しないように密封され、かつ蝋２の溶融温度で溶融するようにした２個のカプセル６、７を、互いに上下に離間させて配設したものを埋設したものよりなっている。
【００５１】
このような構成とすると、カプセル６、７が芯材２３内に位置するので、アロマキャンドル２１の灯火中に、カプセル６、７が確実に溶融するとともに、溶融したカプセル６、７から漏出した香料４、５の芳香成分が、確実に灯火の上昇気流に乗り、芳香の拡散性が向上する。
【００５２】
このアロマキャンドル２１を製造するには、図５に示すように、倒立截頭円錐形の型枠３１の底部３１ａの中央に設けた小孔３２に、内部に２個のカプセル６、７を、互いに上下に離間させ配設した上記芯材２３の一端部を挿通させて、その先端部を、底部３１ａの下面に、粘着テープその他の適宜の止着手段をもって止着し、かつ芯材２３の他端部に刺し通した水平の吊杆３３の両端部を型枠３１上に架設して、芯材２３を垂直に保持する。
【００５３】
次いで、型枠３１内に、粒状、ブロック状またはその他の形状とした固化した常温の蝋材３４を、芯材２３が中央に位置するように下方のものより順次押し固めつつ充填し、倒立截頭円錐形のアロマキャンドル２１の中心部３５を形成する。
【００５４】
この中心部３５を、型枠３１から離型して、蝋２と同様の材料を成型して形成した倒立截頭円錐形のアロマキャンドル２１の外周部３６の中央に設けた倒立截頭円錐形の中央孔３７に嵌合して、アロマキャンドル２１を完成させることができる。
【００５５】
このような製法によると、カプセル６、７を、筒状とした芯材２３内に配設して、芯材２３と一体として取り扱うことができるとともに、蝋に有底孔を設ける必要がないので、作業を、簡単かつ迅速に行うことができる。
【００５６】
図６は、図５に示すアロマキャンドル２１の中心部３５の製法の変形例を示す分解斜視図である。
この製法は、蝋材３４を押し固めて形成した図５に示す蝋３７の部分を縦に２分割したものと同一形状をなす、図６に示すような１対の半割部材３８、３９をそれぞれ成型して形成しておき、それらの対向面の中央に設けられた、芯材２３嵌合用の溝３８ａ、３９ａ内に、内部に２個のカプセル６、７を上下に離間させて配設した芯材２３を嵌合させて、両半割部材３８、３９を合体させることにより、アロマキャンドル２１の中心部３５を形成するものである。
【００５７】
この製法によると、両半割部材３８、３９を、芯材２３およびカプセル６、７を間に挟んで、合体させて、図５に示すアロマキャンドル２１の外周部３６の中央孔３７に嵌合するだけでよいので、アロマキャンドル２１を簡単かつ迅速に製造することができる。
【００５８】
なお、図５に示す型枠３１を、化粧用容器とし、アロマキャンドル２１の中心部３５を、型枠３１から離型することなく、型枠３１に収容したままの状態で、容器入りのアロマキャンドルとすることもできる。
また、図６に示す両半割部材３８、３９を、芯材２３およびカプセル６、７を間に挟んで、合体させて、倒立截頭円錐形の容器に嵌合することにより、容器入りのアロマキャンドルとすることもできる。
【００５９】
本発明は、上記実施形態のみに限定されるものではなく、特許請求の範囲を逸脱することなく、幾多の異なる形態での実施が可能である。
例えば、芯材を、筒状の伸縮性ネットではなく、単なる紐状体からなるものとし、この芯材にカプセルを係止させるだけとしてもよい。
【符号の説明】
【００６０】
１  アロマキャンドル
１’アロマキャンドルの半製品
２  蝋
２’、２ａ、２ｂ  蝋材
３  芯材
４、５  香料
６、７  カプセル
１１  型枠
１１ａ底部
１２、１３  小孔
１４  中子
１５  注入口
１６  蓋体
１７  溶融用容器
１８  有底孔
２１  アロマキャンドル
２２  蝋
２３  芯材
３１  型枠
３１ａ底部
３２  小孔
３３  吊杆
３４  蝋材
３５  中心部
３６  外周部
３７  蝋
３８、３９  半割部材
３８ａ、３９ａ  溝
【図１】
2010285533.tif 000003
【図２】
2010285533.tif 000004
【図３】
2010285533.tif 000005
【図４】
2010285533.tif 000006
【図５】
2010285533.tif 000007
【図６】
2010285533.tif 000008